(57)【要約】【課題】ロータの表面に合成樹脂製の表面被覆層を形成して防水するとともに、キャン内の水を効率よく攪拌させるためにロータの少なくとも軸方向一端側端面に複数の羽根を表面被覆層と一体形成したキャンドポンプを提供すること。【解決手段】キャンドポンプ１において、回転軸１０の大部分とロータ１３がキャン４に収容され、このキャン４の端部がバックケーシング３で閉塞され、このバックケーシング３とポンプケーシング５の間の空間に回転軸１０に固定されたインペラ７が配設され、ロータ１３の表面をモールドする合成樹脂製の表面被覆層１３ｅと、ロータ１３の少なくとも軸方向一端側端面に表面被覆層１３ｅと一体的に形成され且つ中心側から半径方向外側へ向かう水流を形成する複数の羽根１６とを設けた。【選択図】  図１
2008274890.tif 000002
【特許請求の範囲】
【請求項１】
回転軸の大部分とロータを収容するキャンと、このキャンの端部を閉塞するバックケーシングと、このバックケーシングに固着されるポンプケーシングと、バックケーシングとポンプケーシングの間の空間に配設され前記回転軸に固定されたインペラとを有するキャンドポンプにおいて、
前記ロータの表面を水密にモールドする合成樹脂製の表面被覆層と、
前記ロータの少なくとも軸方向一端側端面に前記表面被覆層と一体的に形成され且つ中心側から半径方向外側へ向かう水流を形成する複数の羽根と、
を備えたことを特徴とするキャンドポンプ。
【請求項２】
前記キャンの奥端面に対向する前記ロータの奥端側端面に前記複数の羽根が形成され、それら複数の羽根は円周方向に等間隔に配置されたことを特徴とする請求項１に記載のキャンドポンプ。
【請求項３】
前記ロータの軸心寄り部分に前記回転軸と平行で且つロータ及び被覆層を貫通する１又は複数の貫通孔が形成され、この１又は複数の貫通孔の内面を被覆する合成樹脂製の筒状被覆層が前記表面被覆層と一体的に形成されたことを特徴とする請求項２に記載のキャンドポンプ。
【請求項４】
前記バックケーシングに対向する前記ロータのインペラ側端面に前記複数の羽根が形成され、それら複数の羽根は円周方向に等間隔に配置されたことを特徴とする請求項１〜３の何れかに記載のキャンドポンプ。
【請求項５】
前記ロータの奥端側端面に形成された複数の羽根の出口取付角が、前記ロータのインペラ側端面に形成された複数の羽根の出口取付角より大きく設定されたことを特徴とする請求項４に記載のキャンドポンプ。
【発明の詳細な説明】
【技術分野】
【０００１】
本発明は、キャンドポンプに関し、特にロータ表面をモールドする合成樹脂製の表面被覆層を設け、ロータの軸方向一端側にキャン内の水を攪拌する複数の羽根を表面被覆層と一体的に形成したものに関する。
【背景技術】
【０００２】
従来のキャンドポンプにおいては、その交流モータのステータとコイルがモータケーシングとキャンとの間の環状空間に配設され、ロータと回転軸がキャン内に配設され、キャンの端部を塞ぐバックケーシングとポンプケーシングとの間の作動室に回転軸に連結されたインペラが配設され、ポンプケーシングの中心部に吸入口が形成され、作動室の外周側部分に吐出口が形成され、吸入口から吸入した水をインペラにより加圧して吐出口より吐出させるように構成されている。
【０００３】
ところで、キャンドポンプは回転軸とバックケーシングに設けた軸受けとの間の摺動隙間から水がキャン内部に侵入して滞留する構造のため、ロータが腐食してモータの寿命が著しく短くなってしまう。ロータの防水構造の例として、ロータの表面を覆うステンレス鋼の薄板からなるカバーを設ける技術も採用されているが、この防水構造ではステンレス鋼の薄板で水密構造のカバーを構成することが難しく、部品数も多くなり、封止構造も複雑になるなどの問題が残る。そこで、ロータの表面を合成樹脂製の表面被覆層で覆う技術も提案されている。
【０００４】
例えば、特許文献１には、キャンドポンプ用電動機の回転子の耐腐食性を向上させるために、硅素鋼板積層体と、複数の回転子棒と１対の短絡環からなる導体部とから構成される回転子アセンブリ、の外表面にメッキ皮膜や合成樹脂皮膜からなる被覆層を形成したキャンドポンプが開示されている。
【０００５】
特許文献２には、キャンドポンプにおいては、合成樹脂製のインペラのボス部の外周側に回転子ヨークと、セグメント形の永久磁石を組み込み、これらをステンレス製のパイプで被覆し、インペラのボス部の一端部にインペラを一体形成してある。
【特許文献１】特開平６−２６１５０８
【特許文献２】特許第２６４９７６４
【発明の開示】
【発明が解決しようとする課題】
【０００６】
特許文献１のキャンドポンプにおいては、ロータをモールドする合成樹脂製の被覆層を形成するためロータの腐蝕を防止することができる。しかし、ポンプの連続運転中にロータを支持する回転軸が摺動摩擦熱により１５０度℃付近まで昇温することがある。そのため、回転軸や軸受部が摩耗しやすく、それらの耐久性が低下し、ポンプを連続運転するとき駆動モータ部の効率も低下するという問題が残されている。このことは、特許文献２のキャンドポンプにおいても、同様である。
【０００７】
本発明の目的は、ロータの腐蝕を確実に防止可能で且つロータを支持する回転軸や軸受部やロータ周辺の温度上昇を抑制可能なキャンドポンプを提供することである。
【課題を解決するための手段】
【０００８】
請求項１のキャンドポンプは、回転軸の大部分とロータを収容するキャンと、このキャンの端部を閉塞するバックケーシングと、このバックケーシングに固着されるポンプケーシングと、バックケーシングとポンプケーシングの間の空間に配設され前記回転軸に固定されたインペラとを有するキャンドポンプにおいて、前記ロータの表面を水密にモールドする合成樹脂製の表面被覆層と、前記ロータの少なくとも軸方向一端側端面に前記表面被覆層と一体的に形成され且つ中心側から半径方向外側へ向かう水流を形成する複数の羽根とを備えたことを特徴とする。
【０００９】
前記ロータの表面を水密にモールドする合成樹脂製の表面被覆層により、防水してロータの腐蝕を確実に防止することができる。ロータの少なくとも軸方向一端側端面に前記表面被覆層と一体的に形成され且つ中心側から半径方向外側へ向かう水流を形成する複数の羽根を設けたため、ロータが回転駆動するとき複数の羽根によりキャン内に滞留している水が攪拌されるため、ロータを支持する回転軸や軸受部やロータ周辺などの温度上昇を抑制することができる。
【００１０】
請求項２のキャンドポンプは、請求項１の発明において、前記キャンの奥端面に対向する前記ロータの奥端側端面に前記複数の羽根が形成され、それら複数の羽根は円周方向に等間隔に配置されたことを特徴とする。前記ロータの奥端側端面に前記複数の羽根が形成されると、この複数の羽根によりキャン奥端側に滞留している水が攪拌される。
【００１１】
請求項３のキャンドポンプは、請求項２の発明において、前記ロータの軸心寄り部分に前記回転軸と平行で且つロータ及び被覆層を貫通する１又は複数の貫通孔が形成され、この１又は複数の貫通孔の内面を被覆する合成樹脂製の筒状被覆層が前記表面被覆層と一体的に形成されたことを特徴とする。
【００１２】
前記キャンの奥端面に対向するロータの奥端側端面に複数の羽根が形成され、ロータの軸心寄り部分に１又は複数の貫通孔が形成されるため、ポンプの回転中には、ロータとキャンの周壁間の隙間を介してロータの軸方向奥端側から一端側へ向かう水流が発生し、１又は複数の貫通孔を介してロータの軸方向一端側から奥端側へ向かう水流が発生する。
【００１３】
請求項４のキャンドポンプは、請求項１〜３の何れかの発明において、前記バックケーシングに対向する前記ロータのインペラ側端面に前記複数の羽根が形成され、それら複数の羽根は円周方向に等間隔に配置されたことを特徴とする。前記ロータのインペラ側端面に複数の羽根が形成されるため、この複数の羽根によりインペラ側に滞留している水が攪拌される。
【００１４】
請求項５のキャンドポンプは、請求項４の発明において、前記ロータの奥端側端面に形成された複数の羽根の出口取付角が、前記ロータのインペラ側端面に形成された複数の羽根の出口取付角より大きく設定されたことを特徴とする。
【発明の効果】
【００１５】
請求項１の発明によれば、前記ロータの表面を水密にモールドする合成樹脂製の表面被覆層を形成するため、ロータを防水してロータの腐蝕を確実に防止することができる。
ロータの少なくとも軸方向一端側端面に前記表面被覆層と一体的に形成され、且つ中心側から半径方向外側へ向かう水流を形成する複数の羽根を設けたので、キャン内に滞留した水を攪拌することができ、ロータを支持する回転軸や軸受部やロータ周りの温度上昇を抑制することができるので、回転軸や軸受部の摩耗を抑制し、それらの耐久性を高めることができ、連続運転する際の駆動モータ部の効率低下を防ぐことができる。
【００１６】
しかも、表面被覆層と複数の羽根とを一体形成するため、部品数や工程数を削減して製作コストの増大を抑制することができる。尚、表面被覆層を形成する合成樹脂材料の着色を異ならせることで、型式の異なるロータを識別可能にすることも可能である。
【００１７】
請求項２の発明によれば、キャンの奥端面に対向するロータの奥端側端面に複数の羽根を形成するので、水の攪拌が生じにくく温度上昇しやすいキャン奥端側の水を攪拌することができ、ロータを支持する回転軸や軸受部やロータ周辺の温度上昇を確実に抑制することができる。
【００１８】
請求項３の発明によれば、前記ロータの軸心寄り部分に回転軸と平行で且つロータ及び被覆層を貫通する１又は複数の貫通孔を形成したので、この貫通孔を介してロータのインペラ側端面から奥端側へ向かう水流が形成されると共に、ロータの外周面とキャンとの間の隙間を介してロータの奥端側からインペラ側端面へ向かう水流が形成されるため、キャン内の水の攪拌性能を高めて冷却性能を向上させることができる。
【００１９】
請求項４の発明によれば、バックケーシングに対向するロータのインペラ側端面に複数の羽根が形成されるので、インペラ側端面の付近の水を攪拌することができる。
【００２０】
請求項５の発明によれば、前記ロータの奥端側端面に形成された複数の羽根の出口取付角が、前記ロータのインペラ側端面に形成された複数の羽根の出口取付角より大きく設定されたので、奥端側端面に形成された複数の羽根による半径方向外側へ向かう攪拌流の流量が、インペラ側端面に形成された複数の羽根による半径方向外側へ向かう攪拌流の流量よりも大きくなり貫通孔を通ってキャン奥端側へ向かう水流を強化することができる。
【発明を実施するための最良の形態】
【００２１】
本発明のキャンドポンプは、ロータの表面を水密にモールドする合成樹脂製の表面被覆層を設け、ロータの少なくとも軸方向一端側において複数の羽根を表面被覆層と一体的に形成したことを特徴とするものである。
【実施例１】
【００２２】
以下、本発明の実施例１について図面に基づいて説明する。尚、図１における上下左右を上下左右として説明する。
図１に示すように、キャンドポンプ１は、例えば給湯装置に組み込まれて水やお湯を圧送するポンプである。このキャンドポンプ１は、ポンプ室２、バックケーシング３、キャン４、ポンプケーシング５、インペラ７、回転軸１０、ロータ１３、ステータ１４及びコイル１５、軸受１１ａ，１１ｂなどを備えている。
【００２３】
ポンプ室２はバックケーシング３とポンプケーシング５とで構成され、このポンプ室２内にインペラ７が鉛直姿勢に配設されている。バックケーシング３は、中心側のボス部３ａとテーパ部３ｂと平板部３ｃとを合成樹脂材料で一体形成したものである。バックケーシング３の平板部３ｃには、キャン４内の空間とポンプ室２とを連通する複数の小径の連通孔３ｄが設けられている。
【００２４】
キャン４は、回転軸１０の大部分とロータ１３を収容するため、非磁性のステンレス鋼板で断面ハット形状に構成されている。キャン４は、本体筒部４ａと、その左端を塞ぐ端壁部４ｂと、本体筒部４ａの右端部のフランジ部４ｃとを一体形成したものである。
【００２５】
ポンプケーシング５は合成樹脂製のもので、その左端部には合成樹脂製のモータケーシング６の右端部が複数のボルト又は接着等により固着されている。モータケーシング６には、キャン４と、回転軸１０とロータ１３とステータ１４とコイル１５等からなる駆動モータ部が収容されている。
【００２６】
ポンプケーシング５の右端壁部の中央部には吸入口５ａが形成され、ポンプケーシング５の上端部には吐出口５ｂが形成され、ポンプケーシング５の下端部には水抜き栓５ｃが設けられている。ポンプケーシング５の左端筒部５ｄに環状のＯリング９を介して、キャン４のフランジ部４ｃと、このフランジ部４ｃに環状のＯリング８を介して密着させたバックケーシング３の平板部３ｃが内嵌されて固着されている。ポンプケーシング５とバックケーシング３の内部のポンプ室２には、合成樹脂製のインペラ７が鉛直姿勢に配設され、回転軸１０の右端部がインペラ７の中心部に嵌合固着されている。
【００２７】
回転軸１０は耐摩耗性に優れるセラミック材料製のもので、ロータ１３に貫通固着した状態にしてキャン４の内部空間の中心部に水平姿勢に配設され、その右端部分がポンプ室２内まで延びてインペラ７に固着されている。回転軸１０の右端寄り部位は、バックケーシング３のボス部３ａに内嵌固定された合成樹脂製の軸受１１ａで回転自在に支持されている。回転軸１０の左端部はキャン４の端壁部４ｂの内面に固定されたセラミック製の軸受１１ｂで回転自在に支持されている。
【００２８】
次に、キャンドポンプ１の駆動モータ部について説明する。この駆動モータ部は、回転軸１０とロータ１３とステータ１４とコイル１５等で構成されている。
図１、図２に示すように、ロータ１３は、硅素鋼板（電磁鋼板）の薄板を複数枚積層した硅素鋼板積層体のコア部１３ａと、コア部１３ａを貫通する複数のスロット１３ｂと、複数のスロット１３ｂに挿通される複数の導体棒１３ｃと、複数の導体棒１３ｃの両端を短絡する短絡環１３ｄとを有する。ロータ１３には、その表面を水密にモールドする合成樹脂製の表面被覆層１３ｅが形成され、その中心部に貫通されて固着された回転軸１０でもって回転自在に支持されている。
【００２９】
複数のスロット１３ｂは、回転軸１０の軸心と３次元的に交差するように傾斜した状態に形成されてもよく、これら傾斜したスロット１３ｂに導体棒１３ｃを挿通させ両端を短絡環１３ｄで結合させることが望ましく、その構造にすると駆動中の振動や騒音を和らげる効果がある。導体棒１３ｃと短絡環１３ｄは、アルミニウム材料製のものである。
【００３０】
ロータ１３の両端面には、表面被覆層１３ｅと一体的に形成された複数（例えば８枚）の羽根１６，１７が夫々形成されている。これら複数の羽根１６，１７は、中心側から半径方向外側へ向かう水流を形成する為のものである。一方の羽根１６はキャン４の奥端面に対向するロータ１３の奥端側端面に円周方向に等間隔に形成され、他方の羽根１７はバックケーシング３に対向するロータ１３のインペラ７側端面に円周方向に等間隔に形成されている。ロータ１３奥端側端面の軸心部分には、回転軸１０が挿通されたスラストワッシャ部１２が表面被覆層１３ｅと一体的に形成され、このスラストワッシャ部１２はロータ１３が左側に移動したときに軸受１１ｂに当接して、ロータ１３の左右方向位置を規制するとともに、ロータ１３と軸受け１１ｂが当接する際に発生する音を軽減する。
【００３１】
図２、図３に示すように、ロータ１３の軸心寄り部分に、ロータ１３及び被覆層１３ｅを貫通する４つの貫通孔１８が回転軸１０と平行に形成され、４つの貫通孔１８は円周４等分位置に配設されている。これら４つの貫通孔１８の内面を被覆する合成樹脂製の筒状被覆層１８ａが表面被覆層１３ｅと一体的に形成されている。
【００３２】
ロータ１３が回転するとき、羽根１６，１７が中心側から半径方向外側へ向かう水流を形成する機能を発揮できれば、羽根１６，１７の形状は自由に設定することができる。
本実施例では、ロータ１３奥端側の羽根１６では、図４に示すように、羽根１６の翼弦長とロータ１３の外周とのなす出口取付角が９０度以上に設定され、羽根１６は矢印ａで示すロータ１３の回転方向に対して、半径方向外側へ移行する程回転方向リーディング側へ移行するように湾曲状に形成されている。尚、羽根１６は湾曲状に近い屈曲状の形状に形成してもよい。尚、出口取付角は、羽根の翼弦長とロータ外周の接線とのなす角度θで示されるものであり、この角度θが９０度以上の場合は、羽根は回転方向に対して前傾きに、９０度以下の場合は、回転方向に対して後傾きに設けられる。
【００３３】
インペラ７側の羽根１７では、図５に示すように、羽根１７の翼弦長とロータ１３の外周とのなす出口取付角が９０度に設定されている。
【００３４】
ステータ１４は、ロータ１３と同様に環状の硅素鋼板積層体で構成され、キャン４とモータケーシング６の間の筒状空間に配設され、キャン４を隔ててロータ１３の外周面に対向する状態に配設され、ステータ１４はモータケーシング６の内周面に固着されている。  このステータ１４には例えば８組又は１６組のコイル１５が巻かれ、それらコイル１５には位相の異なる交流電圧を印可することにより回転磁界を発生させてロータ１３を回転駆動する。
【００３５】
次に、以上説明したキャンドポンプ１の作用、効果について説明する。
このキャンドポンプ１が給湯装置の配管系に接続され、外部からコイル１５に交流電圧を印加してステータ１４の内側に回転磁界を発生させると、この回転磁界の回転方向と同方向にロータ１３と回転軸１０とが回転し、回転軸１０と一体的にインペラ７が回転し、インペラ７の回転によりポンプ室２の吸入口５ａから吸入された水が加圧されて吐出口５ｂから吐出される。
【００３６】
ポンプ１を使用している状態では、バックケーシング３の複数の小径の連通孔３ｄを介して、キャン４内へ水が流入したりキャン４内から水が流出したりする。ロータ１３の表面被覆層１３ｅの外周面とキャン４の本体筒部４ａとの間には微小隙間が形成されているため、キャン４内のロータ１３の左側の奥端側室４Ａにも、ロータ１３の右側の入口側室４Ｂにも水が充満した状態になる。そのため、ポンプ１の使用中には、奥端側室４Ａにも入口側室４Ｂにも常時水が滞留しており、奥端側室４Ａの水は複数の羽根１６により攪拌され、入口側室４Ｂの水は複数の羽根１７により攪拌される。
【００３７】
即ち、奥端側室４Ａにおいては、ロータ１３が回転するとき、複数の羽根１６により水に作用する遠心力が発生し、中心側から半径方向外側へ向かう水流が形成されるため、４つの貫通穴１８を通って奥端側室４Ａへ入口側室４Ｂの水が流入し且つロータ１３の表面被覆層１３ｅとキャン４の本体筒部４ａのとの間の微小隙間を通って奥端側室４Ａの水が流出するため、奥端側室４Ａの水の温度上昇を抑制することができ、回転軸１０と軸受１１ｂとロータ１３等の温度上昇を抑制し、耐久性を高め、連続運転するときの駆動モータ部の効率低下を防止できる。
【００３８】
入口側室４Ｂにおいても、ロータ１３が回転するとき、複数の羽根１７により水に作用する遠心力が発生し、中心側から半径方向外側へ向かう水流が形成されるため、水の攪拌が促進され、水の温度上昇を抑制することができる。
しかも、図４、図５に示すように、羽根１６の出口取付角が９０度以上に設定され、羽根１７の出口取付角が９０度に設定されている関係上、羽根１６による半径方向外側へ向かう攪拌流の流量が羽根１７による半径方向外側へ向かう攪拌流の流量よりも大きくなるため、貫通孔１８を通って奥端側室４Ａへ向かう水流を強化することができる。
【００３９】
但し、羽根１６の代わりに羽根１７を採用することも可能であり、この場合、入口側室４Ｂにおいて羽根１７の攪拌作用により中心側の水の圧力が小さくなると、右方から水が流入するため、貫通孔１８の右端側の水圧は左端側の水圧よりも高くなる。それ故、貫通孔１８を通って奥端側室４Ａへ向かう水流が発生する。
【００４０】
このように、奥端側室４Ａ内における攪拌流の発生と、奥端側室４Ａと入口側室４Ｂとに亙る水流の発生を促進することにより、奥端側室４Ａ内における回転軸１０や軸受１１ｂやロータ１３の温度上昇を抑制できる。入口側室４Ｂにおける攪拌流の発生により回転軸１０や軸受１１ａやロータ１３の温度上昇を抑制できる。連続運転する際の駆動モータ部の温度上昇による効率低下を抑制することができる。
【００４１】
ロータ１３表面に形成された合成樹脂製の表面被覆層１３ｅによりロータ１３を防水すると共に貫通孔１８の内面も表面被覆層１３ｅと一体の筒状被覆層１８ａ（図３参照）で防水しているため、ロータ１３の腐蝕を防止することができる。前記の羽根１６，１７を表面被覆層１３ｅと一体形成するため、羽根１６，１７形成の為に必要な製作費を低く抑えることができる。筒状被覆層１８ａを表面被覆層１３ｅと一体形成するため、筒状被覆層１８ａ形成に必要な製作費を低く抑えることができる。
尚、このキャンドポンプ１の型式に応じて、表面被覆層１３ｅを形成する合成樹脂材料の色を異なせることで、複数の類似したロータ１３の識別を容易にすることも可能である。
【実施例２】
【００４２】
次に、羽根１６の形状を種々変更した実施例２のキャンドポンプ１について説明する。但し、前記実施例１の構成要素と同様の構成要素には同一符号を付して説明を省略し、異なる構成についてのみ説明する。前記羽根１６の代わりに、図６〜図９に示す羽根１６Ａ〜１６Ｄの何れかを採用してもよい。
【００４３】
図６に示す８枚の羽根１６Ａは、羽根１６Ａの翼弦長とロータ１３Ａの外周とのなす出口取付角が９０度に設定されている。この羽根１６Ａの形状は、消費電力と水の攪拌流量とのバランスが取れている形状である。
図７に示す８枚の羽根１６Ｂは出口取付角は９０度以上に設定され、図６の出口取付角９０度の羽根１６Ａと比較すると、キャン４内の水の攪拌流量が多くなるため、ロータ１３Ａ周辺の温度上昇の抑制の効果をあげることができる。
【００４４】
図８に示す８枚の羽根１６Ｃは出口取付角が９０度以下に設定され、図６の出口取付角９０度の羽根１６Ａと比較すると、モータの消費電力を抑えることができる。
図９に示す８枚の羽根１６Ｄは、出口取付角が９０度以下に設定され且つ湾曲状に形成されている。羽根１６Ｃと比較すると、さらに消費電力を抑えることができる。
更に、前記羽根１７の代わりに、図４、図７〜図９に示す羽根１６，１６Ｂ〜１６Ｄの何れかを採用してもよい。
【００４５】
次に、前記実施形態を部分的に変更した変更形態について説明をする。
１）前記奥端側室４Ａに設ける羽根と入口側室４Ｂに設ける羽根は同形状でも良い。    ２）前記奥端側室４Ａに設ける羽根と入口側室４Ｂに設ける羽根の羽根枚数は同じである必要はない。
３）前記奥端側室４Ａに設ける羽根と入口側室４Ｂに設ける羽根は夫々の端面において、不等間隔に配置されていても良い。
【００４６】
４）前記奥端側室４Ａだけに羽根を設け、入口側室４Ｂの羽根は省略しても良い。
５）前記ロータ１３に形成する貫通孔１８の数は４つに限定されるものではなく、１又は任意の複数設けてもよい。また、貫通孔１８は必須のものではなく、省略可能である。  ６）本発明の趣旨を逸脱しない範囲で前記実施例に種々の変更を付加した形態で実施することができ、本発明はそれらの変更形態も包含するものである。
【図面の簡単な説明】
【００４７】
【図１】本発明の実施例１に係るキャンドポンプの縦断面図である。
【図２】ロータの断面図である。
【図３】ロータの要部拡大断面図である。
【図４】図２のＡ線矢視図である
【図５】図２のＢ線矢視図である
【図６】実施例２に係る図４相当図である。
【図７】実施例２に係る図４相当図である。
【図８】実施例２に係る図４相当図である。
【図９】実施例２に係る図４相当図である。
【符号の説明】
【００４８】
１      キャンドポンプ
２      ポンプ室
３      バックケーシング
４      キャン
５      ポンプケーシング
７      インペラ
１０    回転軸
１３，１３Ａ      ロータ
１３ｅ  表面被覆層
１６，１６Ａ〜Ｄ  キャン奥端面側羽根
１７    インペラ側羽根
１８    貫通孔
【図１】
2008274890.tif 000003
【図２】
2008274890.tif 000004
【図３】
2008274890.tif 000005
【図４】
2008274890.tif 000006
【図５】
2008274890.tif 000007
【図６】
2008274890.tif 000008
【図７】
2008274890.tif 000009
【図８】
2008274890.tif 000010
【図９】
2008274890.tif 000011